(57)【要約】      （修正有）【課題】お茶のみならず、紅茶、薬草、あご（飛魚の別称）や煮干し等の茶パックに関し、短時間で出汁の抽出ができ、茶パック内が目視でき、内容物の洩れも軽減でき、使用後のお茶ガラも茶器から容易に取り出せ、廃棄できる茶パックを提供する。【解決手段】開口から茶葉２を内部に充填する茶パック１の開口外周部に伸縮調節可能な開口調節蛇腹５を設け、茶器９の蓋１０と茶漉しのツバを載せるヤエン４と呼ばれる茶器内面円淵８の円環部分に茶パック１の開口外周部を装着する。茶パック１を不織紙３で形成した。茶パック１の外側に茶柱１１をのり付けした。短時間で出汁の抽出ができ、茶パック１内が目視でき、内容物の洩れも軽減でき、使用後の茶ガラパックも容易取り出せるようにした。【選択図】図１
0003186837.tif 000002
【実用新案登録請求の範囲】
【請求項１】
茶器の蓋と茶漉しのツバを載せるヤエンと呼ばれる急須内面円環部分に着脱自在に装着する茶パックにおいて、同茶パックの開口部に伸縮調整部を設けたことを特徴とする茶パック。
【請求項２】
上記茶パックの開口部を開閉自在にしたことを特徴とする請求項１に記載の茶パック。
【請求項３】
上記茶パックの外側に茶柱を装着したことを特徴とする請求項１に記載の茶パック。
【考案の詳細な説明】
【技術分野】
【０００１】本考案はあらかじめ茶を詰めた茶パックを容易に茶器に装填しお茶の必要量や簡単に銘柄が判る茶パックお茶が抽出できる茶パックである。
【背景技術】
【０００２】本考案は  茶パックに関して短時間で抽出が出来、茶パック内が目視でき内容物が確認でき合わせて内容物の銘柄も確認が容易で、使用後は茶器から茶パックを取り出し茶パックのリングを折り、閉じるとそのまま茶パックを破棄できる茶パックを提供出来るようにした。
【先行技術文献】
【特許文献】
【０００３】
【特許文献１】特開２００６−３４６８３号公開特許公報
【０００４】
【考案の概要】
【考案が解決しようとする課題】
【０００５】従来の茶パックは紙製で、一種のろ過紙であり、水の浸透率が悪く、出汁が出るまでに時間がかかり，茶の抽出に時間を要した。更に透明性に乏しく茶パックの中身が見えずらかった。更に、市販のお茶パックや、金網を使用し茶こしの状態でお茶を抽出していたお茶を抽出するためには、為図示省略のお茶缶、茶さじ等の諸道具が必要であったり、お茶葉の始末や取り扱いに困難で汚し照り、お茶葉をこぼす、又  茶器に入れるお茶の量も人数分の量も曖昧でお茶に適した分量も素人は困難で、節角のお茶がまずく又、何の銘柄のお茶を飲んでるかも判らない不具合があった。
本考案の目的は、短時間に茶の抽出ができ、茶パックの内容が簡単に目視でき抽出に必要なお茶の分量も容易に判断でき専門家となんら変わらない抽出方法で、使用後も出し殻の茶パックを容易に茶器より取り出し、茶パックごと廃棄でき、茶殻が飛散することもなく消費者に安心で美味しい味のお茶を何時でも提供することにある。
【課題を解決するための手段】
【０００６】本考案に係る茶パックは、茶器の蓋と、茶漉しのツバを載せるヤエンと呼ばれる茶器内面円淵の円環部分に着脱自在に装着する茶パックにおいて、同茶パックの開口部に伸縮調整部の開閉調節蛇腹を設けたことを特徴とする茶パックで、茶パックの開口部を開閉自在に調節し、更に、茶パックの外側に茶柱を装着した茶パックで、茶柱は茶パックにお湯を適量な線まで注ぐと、付着していた茶柱が茶パックより剥離して浮き、お茶を注ぐと、急須の蛇口より茶柱が出る仕組みである。
【考案の効果】
【０００７】本考案に係る茶パックは、上記構成としたことにより、茶器内面円環部分（ヤエン）の大小に合わせて、茶パックの開口外周部を調整できるようになり、短時間に茶の抽出ができ、茶パックにお湯を適量な線まで注ぐと、付着していた茶柱がパックより剥離して浮き、お茶を注ぐと、急須の蛇口より茶柱が出る茶パックで、茶パックの内容が目視でき抽出に必要な茶葉の分量も容易に判断でき、専門家となんら変わらない抽出法で、使用後も出し殻のパックを容易に器より取り出し、パックごと廃棄でき、茶殻の飛散もなく消費者に安易に又安心して美味しい味のお茶を何時でも提供できるようになった。
【図面の簡単な説明】
【０００８】
【図１】本考案に係る一実施例を示す説明図である。
【図２】本考案に係る茶パックの開口部を閉じた様子を示す正面図である。
【図３】本考案に係る図２のａ−ａ線矢視側面図で、図３（ａ）は茶パックが閉じた様子を、図３（ｂ）は茶パックが開いた様子を示している。
【図４】本考案に係る図３（ｂ）のｂ−ｂ線矢視上面図である。
【考案を実施するための形態】
【０００９】本考案に係る実施例を図１から図４を参照して以下説明する。
【実施例】
【００１０】本実施例での茶パック１は、茶器９の蓋１０と、茶漉しのツバを載せるヤエン４と呼ばれる茶器内面円淵８の円環部分に着脱自在に装着する茶パック１で、図１と図２に図示する如く、破線で図示する急須茶器本体のヤエン４に適合するサイズの茶パック１で、ヤエン４に適合する茶器内面円淵８に不織紙３を円推状態に装着した茶パック１である。図３（ａ）に図示する如く指定銘柄の茶葉２が適量装填され、開口部１ａが閉じた茶パック１の開口部１ａに設けた伸縮調整部の開閉調節蛇腹５を、図３（ｂ）に図示する如く開き、図１に図示するヤエン４にフィットするように茶器９に装填セット後、茶器９にお湯６を注ぐと適量な所で茶パック１の外部にのり付けされた茶柱１１が剥がれ、茶柱１１がお茶と一緒に急須口より注がれる。茶パック１には茶葉２の銘柄  製造日、生産地  量目  人数の目安  銘記されており  茶パック１の円淵も半円で折りたたみ可能で、茶パック１の開閉調節蛇腹５中央が伸縮自在につき、茶器９のヤエン４の大きさに合わせる事も容易に出来るので、お茶を安心して抽出できる。素人もプロ級の茶人になれて茶葉２も目視できて食の安全面も良い。使用後は、ヤエン４から茶パック取手７をつまんで茶パック１を取り出し、折りたたんで、容易に廃棄出来  お茶の抽出が簡単に出来る。図４は茶パック１の開口部１ａが開いた様子を示している。
【産業上の利用可能性】
【００１１】本考案に係る  茶パックは  お茶のみならず、コーヒー、紅茶，薬草、各種だしを充填し広範囲に応用し使用できる。
本茶パックは  内視が出来、清潔に廃棄、安心な茶葉、安全な表示で誰も簡単に取り扱いが出来て、効率的なブランド茶飲ができる。
箱詰めにした本茶パックは、各種組み合わせ、ギフト用や  冠婚葬祭での市場等利用範囲が広がる。
【符号の説明】
【００１２】１・・・・・折りたたみ式の茶パック
１ａ・・・・茶パックの開口部
２・・・・・茶葉
３・・・・布織紙
４・・・・急須蓋受け（ヤエン）
５・・・・開閉調節蛇腹
６・・・・お湯
７・・・・茶パック取手
８・・・・茶器内面円淵
９・・・・茶器（急須）
１０・・・蓋
１１・・・茶柱（のり付け）
【図１】
0003186837.tif 000003
【図２】
0003186837.tif 000004
【図３】
0003186837.tif 000005
【図４】
0003186837.tif 000006
【手続補正書】
【提出日】平成25年8月15日(2013.8.15)
【手続補正１】
【補正対象書類名】実用新案登録請求の範囲
【補正対象項目名】全文
【補正方法】変更
【補正の内容】
【実用新案登録請求の範囲】
【請求項１】
開口から茶葉を内部に充填する茶パックの開口外周部に伸縮調節可能な開口調節蛇腹を設け、茶器の蓋と茶漉しのツバを載せるヤエンと呼ばれる急須内面の円環部分に前記茶パックの開口外周部を装着することを特徴とする茶パック。
【請求項２】
上記茶パックを不織紙で形成したことを特徴とする請求項１に記載の茶パック。
【請求項３】
上記茶パックの外側に茶柱をのり付けしたことを特徴とする請求項１に記載の茶パック。